(57)【要約】【課題】耐久性に優れ、身体各部に好適に使用でき、優れた美容効果を期待できる美容器を提供する。【解決手段】美容器１は、ハンドル３と、ローラー４とを有している。ハンドル３は、軸部をそれぞれ支持する一対のサブハンドル部３３及び一対のサブハンドル部３３を開閉可能に連結する連結部３４を有している。ローラー４は、軸部にそれぞれ配設されると共に、軸部の軸線を中心に回転可能に支持されている。連結部３４は、一対のサブハンドル部３３の開閉に伴って伸縮可能な接続部材３４を有している。【選択図】図１
2015163178.tif 000002
【特許請求の範囲】
【請求項１】
軸部をそれぞれ支持する一対のサブハンドル部及び該一対のサブハンドル部を開閉可能に連結する連結部を有するハンドルと、
上記軸部にそれぞれ配設されると共に、該軸部の軸線を中心に回転可能に支持されたローラーとを有しており、
上記連結部は、上記一対のサブハンドル部の開閉に伴って伸縮可能な接続部材を有していることを特徴とする美容器。
【請求項２】
上記接続部材はエラストマーよりなることを特徴とする請求項１に記載の美容器。
【請求項３】
上記連結部は上記一対のサブハンドル部の開閉範囲の上限を規制する開閉規制手段を有していることを特徴とする請求項１または２に記載の美容器。
【請求項４】
上記連結部は上記一対のサブハンドル部の間に掛け渡されたブリッジ部を有する補強部材を有しており、上記ブリッジ部は上記開閉方向以外の方向への上記一対のサブハンドル部の変位を抑制可能に構成されていることを特徴とする請求項１〜３のいずれか１項に記載の美容器。
【請求項５】
上記接続部材は筒状を呈しており、上記連結部の少なくとも一部が上記接続部材により覆われていることを特徴とする請求項１〜４のいずれか１項に記載の美容器。
【発明の詳細な説明】
【技術分野】
【０００１】
本発明は、身体各部の美容のために用いる美容器に関する。
【背景技術】
【０００２】
肌の美容のために、ローラーを肌に押し当てつつ回転させて用いる美容器が知られている。この種の美容器として、二股に分岐した形状を呈する本体部と、本体部の先端にそれぞれ取り付けられたローラーとを有し、一対のローラーの間に使用者の身体各部を挟みこんで使用する美容器がある（例えば、特許文献１）。
【０００３】
従来、この種の美容器の本体部は、特許文献１のように、ローラーを支持する分岐部分と、一対の分岐部分を連結する連結部分とが樹脂により一体成形されていることが多い。また、本体部の材質としては、熱可塑性樹脂が多用されている。
【先行技術文献】
【特許文献】
【０００４】
【特許文献１】意匠登録第１４１８６７５号公報
【発明の概要】
【発明が解決しようとする課題】
【０００５】
上記連結部分には一対のローラーの開閉動作に伴って負荷がかかるため、開閉動作が繰り返されると連結部分にひずみが蓄積される。従来の美容器は、連結部分が樹脂より構成されているために耐久性が十分でなく、使用期間が長くなると連結部分の破損に至るという問題がある。それ故、連結部分の耐久性を高めることにより、長期間に亘って使用できる美容器が望まれている。
【０００６】
本発明は、かかる背景に鑑みてなされたものであり、耐久性に優れ、身体各部に好適に使用でき、優れた美容効果を期待できる美容器を提供しようとするものである。
【課題を解決するための手段】
【０００７】
本発明の一態様は、軸部をそれぞれ支持する一対のサブハンドル部及び該一対のサブハンドル部を開閉可能に連結する連結部を有するハンドルと、
上記軸部にそれぞれ配設されると共に、該軸部の軸線を中心に回転可能に支持されたローラーとを有しており、
上記連結部は、上記一対のサブハンドル部の開閉に伴って伸縮可能な接続部材を有していることを特徴とする美容器にある。
【発明の効果】
【０００８】
上記美容器は、軸部をそれぞれ支持する一対のサブハンドル部及び該一対のサブハンドル部を開閉可能に連結する連結部を有するハンドルを有している。また、上記ローラーは、上記軸部にそれぞれ配設されると共に、該軸部の軸線を中心に回転可能に支持されている。そのため、使用者は、美容効果を得たい部分に一対のローラーを押し当てることにより一対のサブハンドル部を押し広げることができ、使用する部位の形状に応じて一対のローラーの間隔を適宜調整できる。その結果、上記美容器は、顔や腕等の比較的起伏の大きい部分から腹部等の比較的起伏の小さい部分まで好適に使用することができるものとなる。
【０００９】
また、上記連結部は、上記一対のサブハンドル部の開閉に伴って伸縮可能な接続部材を有している。そのため、連結部が比較的硬い樹脂より構成されている従来の美容器に比べて、開閉動作の繰り返しに対する上記連結部の耐久性を向上させることができる。その結果、連結部の破損を抑制でき、上記美容器を長期間に亘って使用することができる。
【００１０】
また、上記美容器は、使用者が上記サブハンドル部の開閉の度合いを調節することにより、美容効果を得たい部分に加わる押圧力を容易に調節することができる。そのため、上記美容器は、取り扱いが容易である。また、一対のローラーによる押圧力により、押圧される部分の肌の血行が促進されたり、新陳代謝を活性化するなどの効果が期待でき、ひいては肌を美しくする等の優れた美容効果を期待できる。
【００１１】
以上のように、上記美容器は、耐久性に優れ、身体各部に好適に使用でき、優れた美容効果を期待することができる。
【図面の簡単な説明】
【００１２】
【図１】実施例１における、美容器の斜視図。
【図２】実施例１における、美容器の上面図。
【図３】実施例１における、美容器の側面図。
【図４】実施例１における、美容器をローラー側から見た前面図。
【図５】実施例１における、美容器の分解斜視図。
【図６】図２のVI−VI線矢視断面図。
【図７】図２のVII−VII線矢視断面図。
【図８】実施例１における、美容器のハンドルを開く動作の説明図。
【図９】実施例１における、美容器を上腕部に使用する際の使用方法の例を示す説明図。
【図１０】実施例２における、美容器の側面図。
【図１１】実施例２における、ベース部の上面図。
【図１２】実施例２における、ばね収容部の下面図。
【図１３】実施例２における、ハンドルが上限まで開いた状態のばね収容部の下面図。
【図１４】実施例３における、単一の樹脂成形体よりなるサブハンドル部を有する美容器の斜視図。
【図１５】実施例３における、連結部の断面図（図７に相当する矢視断面図。）。
【図１６】実施例４における、ベローズ構造を有する接続部材を備えた美容器の上面図。
【発明を実施するための形態】
【００１３】
上記美容器において、上記接続部材は、例えばベローズ構造等の伸縮可能な構造を有していてもよく、容易に伸縮できる材料より構成されていてもよい。いずれの場合であっても、上記サブハンドル部の開閉に伴って伸縮可能であれば、連結部の破損を抑制でき、美容器の耐久性を向上させることができる。
【００１４】
上記接続部材に容易に伸縮できる材料を用いる場合には、上記接続部材はエラストマーより構成されていることが好ましい。上記接続部材に用いられるエラストマーとしては、天然ゴムや合成ゴム等のゴム弾性を有する材料を採用することができる。
【００１５】
エラストマーよりなる接続部材は、上記サブハンドル部の開閉動作に追随して容易に伸縮するため、開閉動作の繰り返しに対する上記連結部の耐久性をより向上させることができる。その結果、美容器の耐久性をより向上させることができる。
【００１６】
また、エラストマーよりなる接続部材は、一対のサブハンドル部が開閉された際に、サブハンドル部の位置を自然状態に戻すための付勢力を発生させることができる。例えば、一対のサブハンドル部が開き、一対のローラーの間隔が広がった状態においては、上記接続部材による付勢力が各々のローラーに作用し、一対のローラーが互いに近づく方向に付勢される。そのため、一対のローラーの間に挟み込まれた部分に適度に大きな押圧力を加えることができる。その結果、より優れた美容効果を期待できる。
【００１７】
なお、上記自然状態とは、上記美容器が使用されておらず、一対のローラーの間に美容効果を得たい部分が挟み込まれていない状態をいう。
【００１８】
上記連結部は、一対のサブハンドル部の開閉範囲の上限を規制する開閉規制手段を有していてもよい。上記美容器は、開閉規制手段を設けることにより、一対のサブハンドル部が過度に開くことを防止することができる。これにより、上記接続部材の破損を防止することができ、上記美容器の耐久性をより向上させることができる。
【００１９】
上記一対のローラーの間隔は、開閉規制手段により、５０ｍｍ以下に規制されることが好ましく、３５ｍｍ以下に規制されることがより好ましく、２０ｍｍ以下に規制されることが更に好ましい。一方、上記ローラーの間隔の下限は規制されていなくても良いが、一対のローラーに挟まれる部分において体感する押圧力が過度に大きくなる場合には、上記開閉規制手段あるいはその他の手段により規制されていても良い。
【００２０】
上記開閉規制手段としては、例えば、サブハンドル部の開閉範囲の上限を規制する部材を設けることができる。この場合には、自然状態よりも開いた状態のサブハンドル部と当接する位置に上記部材を設けることにより、サブハンドル部の開閉範囲の上限が上記部材の位置に応じて規制される。その結果、上記一対のローラーの間隔の上限を規制することができる。
【００２１】
また、上記サブハンドル部自身が上記開閉規制手段として機能するように構成されていてもよい。上記構成としては、例えば、サブハンドル部が限界まで開いた状態において、サブハンドル部の一部を互いに当接させる構成がある。このように構成されたサブハンドル部は、互いに当接した状態が上限となるように開閉範囲が規制される。その結果、上記一対のローラーの間隔の上限を規制することができる。
【００２２】
また、上記連結部は、一対のサブハンドル部の間に掛け渡され、サブハンドル部の開閉方向以外の方向への一対の変位を抑制可能に構成されたブリッジ部を有する補強部材を有していてもよい。この場合、上記美容器は、上記の作用を有する補強部材を連結部に積極的に設けることにより、一対のサブハンドル部が開閉方向以外の方向へ変位することを抑制できる。これにより、接続部材に加わるねじれ力や曲げ力等の、開閉方向以外の方向への力を低減することができる。その結果、接続部材の破損を防止することができ、上記美容器の耐久性をより向上させることができる。
【００２３】
上記補強部材の形状及び材質は、ねじれ方向等へのブリッジ部の剛性が十分に高いものであれば、種々の態様をとることができる。例えば、上記補強部材として金属板を用いることにより、ブリッジ部の剛性を十分に高くすることができる。また、ステンレス鋼板等の比較的強度の大きい金属板を用いる、あるいは、板厚を厚くする等の方法により、ブリッジ部の剛性をより高くすることができる。通常は、上記補強部材としてステンレス鋼板を用いることにより、十分な剛性を得ることができ、接続部材の破損を抑制することができる。
【００２４】
美容器の耐久性をより高める観点から、上記サブハンドル部の開閉方向以外の方向への剛性を積極的に高めたブリッジ部を有する補強部材を用いてもよい。ブリッジ部は、例えば、長手方向（一対のサブハンドル部の並び方向）における断面形状を略Ｌ字状や略角筒状等にすることにより、ねじり方向や折り曲げ方向への剛性を積極的に向上させることができる。
【００２５】
上記補強部材は、各々のサブハンドル部の長手方向に沿って上記ブリッジ部から延設されたアーム部を有していてもよい。この場合には、アーム部の存在により、接続部にねじり力を加える方向へのサブハンドル部の変位を効果的に抑制することができる。その結果、接続部材の破損を抑制し、美容器の耐久性をより向上させることができる。
【００２６】
また、上記連結部は、ばね部材等の付勢手段を更に有していてもよい。この場合には、上記一対のサブハンドル部の位置を自然状態に戻そうとする上記付勢力を適度に大きくすることができる。そのため、上記美容器の使用により、より優れた美容効果を期待できる。上記付勢手段としては、上記付勢力を適度に大きくし易い金属製のばね部材が好ましい。
【００２７】
また、上記接続部材は筒状を呈しており、上記連結部の少なくとも一部が上記接続部材により覆われていることが好ましい。即ち、上記開閉規制手段、上記補強部材あるいは上記付勢手段等の少なくとも一部が上記接続部材の筒内に配置されていることが好ましい。この場合には、上記接続部材により開閉規制手段や補強部材が保護されるため、これらの破損を抑制することができる。その結果、美容器の耐久性をより向上させることができる。
【００２８】
また、上記一対の軸部と上記連結部とは、上記サブハンドル部における互いに反対側の端部に設けられていることが好ましい。この場合には、使用者が上記サブハンドル部の開閉の度合いを調節することにより、上記一対のローラーの間隔を変更できる。そのため、上記ハンドルの開閉動作の大きさと、上記一対のローラーの間隔の変化量との関係が使用者にとって感覚的に把握し易くなる。また、上記サブハンドル部の開閉の度合いを調節することにより、美容効果を得たい部分に加わる押圧力を容易に調節することができる。その結果、美容器の扱い易さをより向上させることができ、より優れた美容効果を期待できる。
【００２９】
上記一対の軸部は、上記自然状態において、上記ハンドル側の基部から先端側へ向かうにつれて上記一対の軸線の間隔が広がる拡開状態となるよう配置されていてもよい。この場合には、上記美容器を肌に押し当てる際に、上記一対のローラーの間隔を容易に押し広げることができる。その結果、上記美容器は、使用者にとってより扱い易いものとなる。
【００３０】
また、上記自然状態において、上記一対のローラーが互いに離隔していてもよい。この場合には、美容効果を得たい部分に上記一対のローラーを押し当てた際に、上記ローラーの間に当該部分がある程度挟み込まれた状態を自然に実現することができる。一方、上記一対のローラーに上記付勢力が作用する場合には、一対のローラーが自然状態において互いに当接していると、当該部分が上記ローラーの間に挟み込まれた状態を実現するために、上記付勢力に抗して上記一対のローラーの間隔を押し広げる必要がある。それ故、上記自然状態において、上記一対のローラーが互いに離隔している美容器は、美容効果を得たい部分を上記ローラーの間に挟みこむ動作をより容易に行うことができ、使用者にとってより扱い易いものとなる。なお、上記自然状態において、上記一対のローラーが互いに離隔している場合には、上記自然状態における上記一対のローラーの間隔は、１〜５０ｍｍの範囲で適宜設定することができる。
【００３１】
また、上記一対の軸部は、常に、上記拡開状態となるよう配置されていてもよい。この場合には、一対のローラーの間に挟まれた部分において体感する押圧力を適度に大きくし、優れた美容効果を期待できると共に、美容器の扱い易さをより向上させることができる。
【００３２】
また、上記ハンドルは、上記一対の軸線を含む平面に対して傾いていることが好ましい。この場合には、上記ハンドルが肌面に沿うようにして上記一対のローラーを肌面に押し当てることにより、上記一対の軸線を含む平面が肌面に対して傾斜した状態となる。そして、この状態を維持しつつ上記美容器を動かすことにより、一対のローラーにより摘み上げられるように美容効果を得たい部分を変形させることができる。その結果、上記美容器の使用により、より優れた美容効果を期待できる。
【００３３】
また、上述した肌を摘み上げる作用は、一対のローラーの間隔によって変化し、一対のローラーの間隔を適切な範囲に保つことにより、上記作用を確実に体感させることができる。それ故、上記ハンドルが上記一対の軸線を含む平面に対して傾いている場合には、さらに上記開閉規制手段を設けることにより、上記作用を確実に体感させることができ、ひいてはより優れた美容効果を期待できる。
【００３４】
また、上記ローラーは、略球体形状とすることができる。この場合には、上記ローラーによる押圧力が、一対のローラーの間に挟まれた部分に集中し易くなるため、体感できる押圧力を十分に大きくでき、より優れた美容効果を期待できる。また、この場合には、上記一対のローラーを肌に押し付けつつ回転させる動作をよりスムーズに行うことができ、美容器の扱い易さをより向上させることができる。
【００３５】
なお、上述した略球体形状には、真球と、回転楕円体や涙滴形状等の一般的な感覚として球形と認められる程度に真球を歪めてなる形状が含まれる。また、上記ローラーは、滑らかな曲面より構成された表面を有していても良く、例えば多数の三角形や四角形等により構成された表面を有する多面体であってもよい。上記ローラーが多面体である場合には、滑らかな曲面より構成された表面を有するローラーに比べて、ローラーの表面が肌に対して滑ることを抑制でき、より優れた美容効果を期待できる。
【００３６】
また、上記ハンドルは太陽電池パネルを有しており、該太陽電池パネルの起電力により、上記ローラーと接触する人体肌に電流を流すことができるよう構成されていてもよい。この場合には、人体肌に流れる電流により、皮膚細胞が活性化され、リンパの流れがよくなったり、血行が促進されたり、新陳代謝が向上されたりする等の効果を発揮する可能性がある。その結果、上記美容器の使用により、より優れた美容効果を期待できる。
【実施例】
【００３７】
（実施例１）
上記美容器の実施例について、図１〜図９を用いて説明する。図１及び図５に示すように、美容器１は、一対の軸部２を有するハンドル３と、一対のローラー４と、付勢手段５としてのばね部材５１とを有している。一対のローラー４は、それぞれ軸部２に配設されると共に、軸部２の軸線Ａ（図３及び図４参照）を中心に回転可能に支持されている。また、一対のローラー４は、図４に示す互いの間隔ｄを変更可能に構成されている。ばね部材５１は、一対のローラー４の間隔ｄを自然状態に戻すための付勢力を発生させることができるよう構成されている。また、美容器１は、図８に示すように、開閉規制手段としての規制プレート７１及び規制ピン７２を有している。規制プレート７１及び規制ピン７２は、後述するように、一対のサブハンドル部３３の開閉範囲の上限を規制できるよう構成されている。
【００３８】
図１及び図２に示すように、美容器１は略Ｕ字状を呈するハンドル３を有している。ハンドル３の二股に分かれた先端には、一対のローラー４が互いに並んで配置されている。一対のローラー４は、それぞれ、ハンドル３の先端に設けられた軸部２を介して、ハンドル３に回転可能に支持されている。また、図３に示すように、美容器１は、一対のローラー４の並び方向から見て略弧状を呈するように湾曲している。
【００３９】
以下において、一対のローラー４の並び方向を「側方方向」、ローラー４とハンドル３との並び方向を「前後方向」ということがある。また、前後方向におけるローラー４側を「前方」といい、ハンドル３側を「後方」ということがある。また、美容器１を側方方向から見た時の略弧状形状における、凸形状側を「上方」といい、凹形状側を「下方」ということがある。これらの方向に関する記載は便宜上のものであり、美容器１を使用する際の実際の方向とは何ら関係がない。
【００４０】
図１〜図４に示すように、ハンドル３は、軸部２を支持する軸支持部３１が、それよりも後方の把持部３２の長手方向に対して斜め下方を向くように屈曲されている。つまり、図２に示す上面視及び図４に示す前面視において、ハンドル３の軸支持部３１は、前方へ向かうにつれて側方方向における外側へ広がっている。また、便宜上図示しないが、軸支持部３１にそれぞれ支持された軸部２は、軸支持部３１とともに、前方へ向かうにつれて外側に広がるように延設されている。これにより、一対の軸部２は、自然状態において、ハンドル３側の基部から先端側（前方）へ向かうにつれて一対の軸線Ａの間隔が広がる拡開状態となるよう配置されている。なお、本例の美容器１における一対の軸線Ａのなす角θ（図４参照）は７０°である。一対の軸線Ａのなす角θは、４０〜１２０°の間で適宜設定することができ、５０〜９０°の範囲であることがより好ましい。
【００４１】
また、図３に示す側面視において、ハンドル３の軸支持部３１は、把持部３２の長手方向に対して斜め下方を向いている。そして、軸支持部３１にそれぞれ配設された軸部２は、軸支持部３１とともに斜め下方へ向けて延設されている（図示略）。そのため、ハンドル３の把持部３２は、一対の軸線Ａを含む平面Ｐに対して傾いている。
【００４２】
図２及び図３に示すように、軸部２を介してハンドル３に支持されるローラー４は、多数の三角形より構成される多面体であり、略球体状を呈している。ハンドル３とローラー４との間には、図示しないパッキンが設けられており、ハンドル３とローラー４との間から水分等が浸入することを防止できるよう構成されている。また、ローラー４の表面にはチタンめっきが施されており、電気伝導性を有している。ローラー４の表面は、後述する太陽電池パネル６と電気的に接続されている。なお、本例の美容器１は、自然状態における一対のローラー４の間隔ｄ（図４参照）が１０ｍｍとなるように構成されている。また、本例のローラー４は、軸線Ａに垂直な断面における直径を、１５〜６０ｍｍの範囲から適宜選択することができる。
【００４３】
また、図２、図５〜図６及び図８に示すように、ハンドル３の後方には、ばね部材５１及び開閉規制手段が設けられている。ばね部材５１及び開閉規制手段の詳細については、後述する。
【００４４】
図１、図２及び図５に示すように、ハンドル３は、軸部２をそれぞれ支持する一対のサブハンドル部３３と、一対のサブハンドル部３３を開閉可能に連結する連結部３４とを有している。図１及び図２に示すように、連結部３４は、ハンドル３の後方、つまりローラー４と反対側の端部に配置されている。そして、サブハンドル部３３は連結部３４から前方へ向けて延設されており、側方方向に互いに並んで配置されている。このように、本例の美容器１は、一対の軸部２と連結部３４とが、サブハンドル部３３における互いに反対側の端部に設けられている。
【００４５】
サブハンドル部３３は、図２に示すように略棒状を呈すると共に、構造的に剛性が高くなるよう、前後方向に垂直な断面が略楕円状を呈している。
【００４６】
また、図５に示すように、サブハンドル部３３は、前後方向の全体にわたって延設されるベース部３３１と、ばね部材５１を収容する下側ばね収容部３３２及び上側ばね収容部３３３と、上側ばね収容部３３３を覆うケース部３３４とを有している。下側ばね収容部３３２、上側ばね収容部３３３及びケース部３３４は、サブハンドル部３３の後半部に配置されている。また、図５及び図７に示すように、下側ばね収容部３３２、上側ばね収容部３３３及びケース部３３４は、前後方向の両端において、ねじ３３５によりベース部３３１と締結されている。
【００４７】
ベース部３３１は、電気絶縁性の樹脂より形成されている。また、図２及び図５に示すように、ベース部３３１は、ケース部３３４とハンドル３の軸支持部３１との間に太陽電池パネル６を有している。太陽電池パネル６は、図示しないパッキンにより、ベース部３３１との間の隙間からの水分等の浸入を防止できるように組み付けられている。また、図には示さないが、同一のサブハンドル部３３に設けられた太陽電池パネル６、ローラー４及びケース部３３４は互いに電気的に接続されている。そして、後述するように、太陽電池パネル６の起電力により、ローラー４と接触する人体肌に電流を流すことができるよう構成されている。
【００４８】
上側ばね収容部３３３及び下側ばね収容部３３２は、電気絶縁性の樹脂より形成されている。図６に示すように、上側ばね収容部３３３及び下側ばね収容部３３２は、互いに組み合わされた状態において、両者の間にばね部材５１を収容するためのばね収容空間３５が形成されるよう構成されている。図２及び図６に示すように、ばね収容空間３５は、ハンドル３の開閉動作を行う際にばね部材５１が大きな遊びがなく変形するように、ばね部材５１のサイズに対応した寸法に形成されている。また、図７に示すように、ばね収容空間３５の後端部３５１は、後述する連結部３４における接続部材３４１の筒内空間３４２に連通している。これにより、ばね部材５１は、図２に示すように、連結部３４を通過して一対のサブハンドル部３３まで延設されている。
【００４９】
ケース部３３４は、ＡＢＳ樹脂より構成されている。また、ケース部３３４の表面にはクロムめっきが施されており、表面が電気伝導性を有している。そして、ケース部３３４の表面は、太陽電池パネル６と電気的に接続されている。
【００５０】
図５及び図６に示すように、一対のサブハンドル部３３を連結する連結部３４は、筒状に形成された接続部材３４１と、規制プレート７１と、規制ピン７２とを有している。規制プレート７１及び規制ピン７２は、一対のサブハンドル部３３を連結する連結部３４としての機能及び一対のローラー４の間隔ｄの上限を規制する開閉規制手段としての機能を有している。また、規制プレート７１は、一対のサブハンドル部３３が開閉方向以外の方向へ変位することを抑制する補強部材としての機能を有している。
【００５１】
接続部材３４１はゴム弾性を有するエラストマーより構成されており、図５〜図７に示すように、開口端部３４３と、介在部３４４とを有している。介在部３４４は、一対のサブハンドル部３３の間に配置されている。開口端部３４３は、介在部３４４における側方方向の両側に立設されており、筒状を呈している。
【００５２】
図６及び図７に示すように、各々の開口端部３４３には、下側ばね収容部３３２の後端３３２ａ及び上側ばね収容部３３３の後端３３３ａが挿入されている。また、図５及び図７に示すように、介在部３４４及び開口端部３４３の内側に存在する筒内空間３４２は、連通するサブハンドル部３３に組み付けられた状態において、ばね収容空間３５と連通している。
【００５３】
図６及び図７に示すように、開口端部３４３の先端部側面には、外方に向けて延設されたフランジ部３４５が存在しており、フランジ部３４５と介在部３４４との間に凹状係合部３４６が形成されている。凹状係合部３４６にはベース部３３１の後端３３１ａ及びケース部３３４の後端３３４ａが係合されている。これにより、接続部材３４１がサブハンドル部３３の開閉に伴って伸縮するよう構成されている。
【００５４】
規制プレート７１は、ハンドル３の後方端部における略Ｕ字形状に沿って配置されている。図２及び図８に示すように、規制プレート７１は、接続部材３４１内を通過するブリッジ部７１２と、ブリッジ部７１２から各々のサブハンドル部３３に向けて延設されたアーム部７１３とを有する金属板より構成されている。図８に示すように、アーム部７１３は、略四角形状のピン挿通穴７１１を前方端部に有すると共に、ピン挿通穴７１１よりもブリッジ部７１２側（後方）にボス挿通穴７１４を有している。
【００５５】
図６及び図８に示すように、ピン挿通穴７１１には、金属より構成された規制ピン７２が貫通して配置されている。図６に示すように、規制ピン７２は、ピン挿通穴７１１よりも小さい外径を有する円柱状に形成されている。また、規制ピン７２は、上下方向の端部がベース部３３１及びケース部３３４に固定されている。そのため、規制ピン７２の位置は、ハンドル３の開閉動作に伴い、ピン挿通穴７１１の開口している範囲を限度として変更される（図８、矢印１０１）。
【００５６】
また、図７に示すように、ボス挿通穴７１４には、ケース部３３４に立設されたボス３３６が挿入されている。そのため、規制プレート７１は、ボス３３６に対して一定の位置に保持される。また、ハンドル３を開閉する際に、サブハンドル部３３がボス３３６を中心として回動する（図８、矢印１０２）。
【００５７】
ばね部材５１は、図２及び図５〜図７に示すように、略Ｕ字状に屈曲された金属棒より構成されており、サブハンドル部３３のばね収容空間３５と、接続部材３４１の筒内空間３４２との双方を通過するように配置されている。また、ばね部材５１は、ハンドル３の開閉動作に伴って変形し、ばね部材５１が変形した状態においては、自然状態に戻る方向に付勢され、ばね収容空間３５の壁面を押圧する。これにより、ばね部材５１の付勢力は、サブハンドル部３３を介して一対のローラー４に伝達される。
【００５８】
次に、本例の美容器１の開閉規制手段の動作について、美容器１の使用方法と共に説明する。美容器１を使用する際、使用者は、サブハンドル部３３のケース部３３４を手のひらに接触させつつ、太陽電池パネル６に光が入射するようにして把持部３２を把持する。そして、例えば図３に示すように、把持部３２が肌面８に沿うようにして一対のローラー４を肌面８に押し当てる。このようにローラー４を押し当てることにより、一対の軸線Ａを含む平面Ｐが肌面８に対して傾斜した状態となる。
【００５９】
一対のローラー４を肌面８に当接させた状態から、一対のローラー４を押し当てる力をさらに強くすることにより、接続部材３４１及びばね部材５１の付勢力に抗してハンドル３が開き（図８、矢印１０２）、一対のローラー４の間隔ｄを押し広げることができる（図４、矢印１００）。本例の美容器１における一対の軸部２は、一対のローラー４の間隔ｄが自然状態から変更された状態及び自然状態のいずれの状態においても、ハンドル３側の基部から先端側へ向かうにつれて一対の軸線Ａの間隔が広がる拡開状態を維持するよう構成されている。すなわち、本例の美容器１は、常に、拡開状態となるよう構成されている。
【００６０】
このとき、規制プレート７１及び規制ピン７２は、以下のようにして開閉規制手段として機能する。サブハンドル部３３の内部においては、ベース部３３１及びケース部３３４に固定された規制ピン７２が、ハンドル３が自然状態から開く（図８、矢印１０２）につれて側方方向の外方に移動する（図８、矢印１０１）。そして、規制ピン７２がピン挿通穴７１１の端縁に当接すると、それ以上ハンドル３を開くことができなくなる。
【００６１】
本例の美容器１における規制プレート７１及び規制ピン７２は、サブハンドル部３３を開閉させた際に、一対のローラー４の間隔ｄを１〜５０ｍｍの範囲内で変更できるように設計されている。一方、本例の美容器１は、ベース部３３１がＡＢＳ樹脂より構成されている。そのため、一対のローラー４を肌面８に押し当てる力を大きくすることにより、サブハンドル部３３を弾性変形させて一対のローラー４の間隔ｄを上記特定の範囲よりも広げることができる。本例の美容器１においては、実用上、サブハンドル部３３を弾性変形させた場合における一対のローラー４の間隔ｄの最大値は６５ｍｍである。
【００６２】
一対のローラー４を肌面８に当接させた状態において、美容器１をローラー４側からハンドル３側へ向かう方向へ移動させることにより、図３及び図４に示すように美容効果を得たい部分が一対のローラー４の間に巻き込まれ、肌面８が上記一対のローラー４により摘み上げられるように変形する。
【００６３】
この時、美容器１を移動させると共に、ハンドル３を閉じる方向に力をかけることにより、一対のローラー４の間に挟みこまれた部分にかかる押圧力を大きくすることができる。
【００６４】
また、図３及び図４に示した使用方法の他に、例えば図９に示すように、一対のローラー４の間に上腕部、前腕部、脹脛等を挟み込んだ状態で美容器１を往復移動させて使用することも可能である。
【００６５】
また、ローラー４が肌面８と接触し、かつ、ハンドル３のケース部３３４が手のひらと接触している間は、太陽電池パネル６、ローラー４、ケース部３３４及び人体を含む閉回路が形成される。そのため、太陽電池パネル６の起電力により、ローラー４と接触する人体肌に電流を流すことができる。
【００６６】
次に、本例の作用効果について説明する。
【００６７】
美容器１は、互いの間隔ｄを変更可能に構成された一対のローラー４と、付勢手段５としてのばね部材５１とを有している。そのため、美容器１は、顔や腕、脚等の比較的起伏の大きい部分から腹部等の比較的起伏の小さい部分まで好適に使用することができるものとなる。また、一対のローラー４の間隔が変更できるため、図９に一例を示すように、一対のローラー４の間に腕や脚等を挟みこんで使用することも可能である。このように、一対のローラー４の間に腕等を挟みこみ、美容器１を往復させてローラー４を転がすことにより、筋肉に対するマッサージ効果を効果的に得ることができる。
【００６８】
また、連結部３４は、一対のサブハンドル部３３の開閉に伴って伸縮可能な接続部材３４１を有している。そして、接続部材３４１はゴム弾性を有するエラストマーから構成されている。そのため、サブハンドル部３３の開閉動作の繰り返しに対する連結部３４の耐久性を向上させることができる。その結果、連結部３４の破損を抑制でき、美容器１を長期間に亘って使用することができる。
【００６９】
また、美容器１は、一対のローラー４の間隔ｄが広がった状態においては、付勢手段５による付勢力が各々のローラー４に作用し、一対のローラー４が互いに近づく方向に付勢される。そのため、一対のローラー４に押圧される部分の肌の血行が促進されたり、新陳代謝を活性化するなどの効果が期待でき、ひいては肌を美しくする等の美容効果を期待できる。
【００７０】
また、美容器１は、開閉規制手段としての規制プレート７１及び規制ピン７２を有している。そのため、美容器１は、一対のサブハンドル部３３が過度に広くなることを確実に防止でき、美容器１の耐久性をより向上させることができる。
【００７１】
また、一対の軸部２は、常に、ハンドル３側の基部から先端側に向かうにつれて一対の軸線Ａの間隔が広がる拡開状態となるよう配置されている。つまり、美容器１は、自然状態において上記拡開状態が実現されることにより、使用者にとってより扱い易いものとなる。また、一対のローラー４の間隔ｄが自然状態から変更された状態において上記拡開状態が実現されることにより、一対のローラー４の間に挟まれた部分において体感する押圧力を適度に大きくでき、より優れた美容効果を期待できる。
【００７２】
また、ハンドル３は、軸部２をそれぞれ支持する一対のサブハンドル部３３と、一対のサブハンドル部３３を連結する連結部３４とを有している。そして、一対の軸部２と連結部３４とが、サブハンドル部３３における互いに反対側の端部に設けられている。そのため、使用者は、サブハンドル部３３の開閉の度合いを調節することにより、一対のローラー４の間隔ｄを変更し、美容効果を得たい部分に加わる押圧力を容易に調節することができる。その結果、美容器１の扱い易さをより向上させることができると共に、より優れた美容効果を期待できる。
【００７３】
また、ハンドル３は、一対の軸線Ａを含む平面Ｐに対して傾いている。さらに、本例においては、規制プレート７１及び規制ピン７２は、サブハンドル部３３を開閉させた際に、一対のローラー４の間隔ｄを１〜５０ｍｍの範囲で変更できるように設計されている。一対のローラー４の間隔ｄを適切な範囲に保つことにより、上述した肌の摘み上げによる作用を確実に体感させることができる。その結果、より優れた美容効果を期待できる。
【００７４】
また、ローラー４は、略球体形状を呈している。そのため、ローラー４による押圧力が集中し易くなり、使用者が体感する押圧力が十分に大きくなりやすい。また、一対のローラー４を肌に押し付けつつ回転させる動作をよりスムーズに行うことができ、美容器１の扱い易さをより向上させることができる。
【００７５】
また、ハンドル３は太陽電池パネル６を有しており、太陽電池パネル６の起電力により、ローラー４と接触する人体肌に電流を流すことができるよう構成されている。そのため、美容器１の使用により、より優れた美容効果を期待できる。
【００７６】
また、本例においては、同一のサブハンドル部３３に設けられた太陽電池パネル６、ローラー４及びケース部３３４が互いに接続されているため、各々のサブハンドル部３３ごとに人体肌を含む閉回路を形成することができる。その結果、ローラー４及びケース部３３４と人体肌との接触が不良となることを抑制できる。それ故、美容器１は、より優れた美容効果を期待できる。
【００７７】
また、本例のサブハンドル部３３は、前後方向の断面が略楕円形であるため、構造上、高い剛性を有する。そして、サブハンドル部３３は、金属板よりなる規制プレート７１により補強され、規制プレート７１を有しない場合に比べてより高い剛性を有する。これらの構成を具備することにより、美容器１は、サブハンドル部３３が弾性変形した場合にも、一対のローラー４により美容効果を得たい部分に加わる押圧力を十分に大きくすることができる。
【００７８】
サブハンドル部３３の剛性が過度に低い場合には、美容効果を得たい部分を一対のローラー４により押圧しようとすると、サブハンドル部３３が撓むおそれがある。そのため、場合によってはハンドル３の開閉動作を行っても一対のローラー４の間隔ｄが十分に狭められず、美容効果を得たい部分に加わる押圧力が十分に体感できなくなるおそれがある。一方、本例の美容器１は、上記の構成を有することにより、かかる問題を回避でき、ハンドル３の開閉動作により美容効果を得たい部分に加わる押圧力を十分に大きくすることができる。以上の結果、美容器１は、体感できる押圧力を十分に大きくでき、より優れた美容効果を期待できる。
【００７９】
以上のように、美容器１は、身体各部に好適に使用できると共に、優れた美容効果を期待できる。
【００８０】
（実施例２）
本例は、部品点数を低減しつつ、剛性を高めたサブハンドル部３６を有する美容器１の例である。なお、図には示さないが、本例の美容器１の外形は実施例１と同一である。
【００８１】
図１０に示すように、サブハンドル部３６は、ベース部３６１と、ばね収容部３６２と、ケース部３６３との３つの部品から構成されている。ばね収容部３６２及びケース部３６３は、ベース部３６１の後半部に配置されており、ねじ（図示略）によりベース部３６１に締結されている。なお、図１０においては、便宜上、ローラー４、規制ピン７２及びねじ等の記載を省略している。
【００８２】
図１０及び図１１に示すように、ベース部３６１は、ばね収容部３６２が重ね合わされる部分に、剛性を高めるためのリブ３６４を有している。これにより、ベース部３６１自身の剛性を高め、ひいてはサブハンドル部３６の剛性をより高めることができる。
【００８３】
ばね部材５１が収容されるばね収容空間３５は、ベース部３６１とばね収容部３６２との間に形成される。図１２に示すように、本例のばね収容空間３５は、ばね収容部３６２に、ばね部材５１のサイズに対応した凹部を設けることにより形成されている。
【００８４】
また、本例においては、図１２に示すように、ばね収容部３６２の後端、すなわち、連結部３４に挿入された状態で互いに対面する部分に、開閉規制手段として機能する規制凸部３６５が設けられている。
【００８５】
規制凸部３６５は、前後方向の略中央部に設けられた頂部３６６が自然状態において互いに当接するように構成されている。また、規制凸部３６５は、頂部３６６から前後方向へ向かうにつれて、側方方向の外方へ後退する傾斜面３６７（３６７ａ、３６７ｂ）を有している。傾斜面３６７ａ及び３６７ｂは、図１２に示すように、自然状態において互いに離間するように配置されている。
【００８６】
このように構成された規制凸部３６５は、以下のようにして開閉規制手段として機能する。すなわち、ハンドル３を開くと、規制プレート７１のボス挿通穴７１４（図示略）に挿入されたボス３６８を中心として一対のサブハンドル部３６が回動する（図１２、矢印１０３）。このとき、サブハンドル部３６の回動に伴い、規制凸部３６５における後方側の傾斜面３６７ａが互いに接近し、やがて傾斜面３６７ａ同士が当接する。そして、図１３に示す、後方側の傾斜面３６７ａ同士が当接した状態を限界として、それ以上ハンドル３を開くことができなくなる。このように、傾斜面３６７ａ同士が当接する位置を上限としてハンドル３の開閉動作が規制されることにより、一対のローラー４の間隔ｄの変更し得る範囲の上限が規制される。
【００８７】
なお、本例においては、規制凸部３６５における前方側の傾斜面３６７ｂにより、ハンドル３を閉じる際の下限が規制される。すなわち、上述と同様に、ハンドル３を閉じると、サブハンドル部３６が回動すると共に、前方側の傾斜面３６７ｂが互いに接近する。そして、ハンドル３を閉じる動作を継続すると、やがて傾斜面３６７ｂが当接し、前方側の傾斜面３６７ｂ同士が当接した状態を限界として、それ以上ハンドル３を閉じることができなくなる。このように、傾斜面３６７ｂ同士が当接する位置を下限としてハンドル３の開閉動作が規制されることにより、一対のローラー４の間隔ｄの変更し得る範囲の下限が規制される。
【００８８】
また、図には示さないが、本例においては、規制プレート７１のアーム部７１３の長さが、実施例１に比べて３倍程度に長くなっている。アーム部７１３を長くすることにより、サブハンドル部３６の剛性をより高めることができる。
【００８９】
その他は実施例１と同様である。なお、図１０〜図１３において用いた符号のうち、実施例１において用いた符号と同一のものは、特に説明のない限り実施例１と同様の構成要素等を示す。
【００９０】
本例のように、サブハンドル部３６にリブ３６４を有するベース部３６１を用い、規制プレート７１のアーム部７１３をより長くすることにより、サブハンドル部３６の剛性をより高めることができる。
【００９１】
なお、実施例１及び実施例２には、開閉規制手段として、規制プレート７１及び規制ピン７２を用いた構成や、サブハンドル部３６に規制凸部３６５を設けた構成を説明したが、これ以外の構成を採用することも可能である。例えば、一対のサブハンドル部３６を鎖等で連結することにより、一対のサブハンドル部３６の開閉可能な範囲を鎖の伸びる範囲内に規制する構成がある。
【００９２】
（実施例３）
本例は、単一の樹脂成形体よりなるサブハンドル部３７を有する美容器１ｂの例である。図１４に示すように、本例の美容器１ｂは、軸部をそれぞれ支持する一対のサブハンドル部３７及び一対のサブハンドル部３７を開閉可能に連結する連結部３４を有するハンドル３と、軸部にそれぞれ配設されると共に、軸部の軸線を中心に回転可能に支持されたローラー４とを有している。また、連結部３４は、一対のサブハンドル部３７の開閉に伴って伸縮可能な接続部材３８を有している。
【００９３】
図１４に示すように、本例の美容器１ｂの外形は、実施例１の美容器１と同一である。なお、図１４において使用した符号のうち、実施例１において用いた符号と同一のものは、特に説明のない限り、実施例１と同様の構成要素等を表す。
【００９４】
サブハンドル部３７はＡＢＳ樹脂よりなる単一の樹脂成形体である。即ち、本例のサブハンドル部３７は、実施例１のように複数の部品に分割されておらず、太陽電池パネル６やばね部材５１等も内蔵されていない。図には示さないが、軸部は、サブハンドル部３７を成形する際に、インサート成形により軸支持部３１に固定されている。
【００９５】
連結部３４は、接続部材３８のみから構成されている。図１５に示すように、接続部材３８はエラストマーよりなり、一対のサブハンドル部３７の間に配置される介在部３８１と、介在部３８１の両側に立設された柱状部３８２とを有している。
【００９６】
柱状部３８２の先端部側面には、外方に向けて延設されたフランジ部３８３が存在しており、フランジ部３８３と介在部３８１との間に凹状係合部３８４が形成されている。凹状係合部３８４には、サブハンドル部３７の後端３７１が係合されており、実施例１と同様に、接続部材３８がサブハンドル部３７の開閉に伴って伸縮するよう構成されている。
【００９７】
このように、連結部３４が接続部材３８のみからなる場合であっても、接続部材３８がサブハンドル部３７の開閉に伴って伸縮可能であれば、美容器１ｂの耐久性を向上させる効果を得ることができる。
【００９８】
（実施例４）
本例は、図１６に示すように、ベローズ構造を有する接続部材３９を備えた美容器１ｃの例である。接続部材３９は筒状を呈しており、一対のサブハンドル部３３の間に配置される部分がベローズ構造を有している。図には示さないが、接続部材３９の両端には、実施例１と同様に、ベース部３３１の後端３３１ａ及びケース部３３４の後端３３４ａが係合されている。これにより、接続部材３９はサブハンドル部３３の開閉に伴って伸縮するよう構成されている。また、接続部材３９の筒内には、規制プレート７１及びばね部材５１が配置されている。その他は実施例１と同様である。なお、図１６において用いた符号のうち、実施例１において用いた符号と同一のものは、実施例１と同様の構成要素等を表す。
【００９９】
本例のように、連結部３４に用いる接続部材３９は、例えばベローズ構造等の伸縮可能な構造を有していてもよい。この場合には、接続部材３９を構成する材料に、例えばポリプロピレン等のゴム弾性を有さない材料を用いることができる。なお、ベローズ構造を有する接続部材３９の材料にエラストマーを用いることも可能である。
【符号の説明】
【０１００】
１  美容器
２  軸部
３  ハンドル
３３、３６、３７  サブハンドル部
３４  連結部
３４１、３８、３９  接続部材
４  ローラー
５  付勢手段
Ａ  軸線
【図１】
2015163178.tif 000003
【図２】
2015163178.tif 000004
【図３】
2015163178.tif 000005
【図４】
2015163178.tif 000006
【図５】
2015163178.tif 000007
【図６】
2015163178.tif 000008
【図７】
2015163178.tif 000009
【図８】
2015163178.tif 000010
【図９】
2015163178.tif 000011
【図１０】
2015163178.tif 000012
【図１１】
2015163178.tif 000013
【図１２】
2015163178.tif 000014
【図１３】
2015163178.tif 000015
【図１４】
2015163178.tif 000016
【図１５】
2015163178.tif 000017
【図１６】
2015163178.tif 000018